(57)【要約】【課題】  動いても収納した釘やビスなどが飛び出すことが無く、折り取ったカッターナイフの刃が作業者や周囲の人を傷つけることが無く、しかも袋内の掃除が容易な腰袋を提供する 【解決手段】  腰袋本体(1)の内側に着脱可能な磁着体(2)を備えており、該磁着体(2)はケース(4)の内部に板状の磁石(3)が着脱可能に収納されたものであり、該磁石(3)は片面のみ磁着可能である。 【選択図】  図２
2007130740.tif 000002
【特許請求の範囲】
【請求項１】
腰袋本体の内側に着脱可能な磁着体を備えており、
該磁着体はケースの内部に板状の磁石が着脱可能に収納されたものであり、
該磁石は片面のみ磁着可能であることを特徴とする腰袋。
【請求項２】
腰袋本体の内側に着脱可能な内袋を備えており、
該内袋は板状の磁石を着脱可能に収納できるポケット部を有し、
該ポケット部に磁石を出し入れするための開口は該内袋の外側に設けられており、
該磁石は片面のみ磁着可能であることを特徴とする腰袋。
【請求項３】
腰袋本体の外部には第二の磁石が着脱可能に装着されており、該第二の磁石は片面のみ磁着可能であることを特徴とする請求項１又は請求項２記載の腰袋。
【発明の詳細な説明】
【技術分野】
【０００１】
本発明は作業をする者が腰に装着して工具やネジ，釘などを収納しておく腰袋に関するものである。
【背景技術】
【０００２】
工事，修繕などの作業者がベルトに通して使用する腰袋としては、業種や用途により大きさや形状が異なる種々の物がある。腰袋にはドライバー，ペンチ，メジャー，カッターナイフ，小型の電動工具の工具や、釘，ビス，ボルト，ナット，小さな部品などを収納する。
【０００３】
腰袋は便利に用いられているが、作業者が飛び降りたり走ったりした際に、釘やビスなどが腰袋から飛び出してしまうがある。そこで、それを嫌う作業者は、釘やビス等を口の中に入れて作業している。しかしながら、口の中に収納できる量は少なく、作業中の会話にも不自由を生じ、更には誤って釘やビス等を飲み込んでしまう危険も有った。
【０００４】
腰袋は作業中に発生したゴミを一時的に収納するにも用いられる。例えば、作業でカッターナイフを使用することがあるが、カッターナイフは所定の長さ毎に折り取ることができるようになっており、使用により刃の切れ味が落ちてくれば、刃先を折り取って使用する。折り取った刃先は、周囲に捨てると危険であるので一時的に腰袋に入れておくことが多い。
【０００５】
しかしながら、折り取られた刃先が腰袋内で立った状態となることがあり、作業者が腰袋に手を入れた際にその刃先でケガをするおそれがある。又、腰袋には作業中に発生した各種のゴミが入れられるが、作業後にカッターナイフの刃先のような鉄類のゴミと、それ以外のゴミとを分別して捨てるのは面倒で手間がかかる。
【０００６】
腰袋は工具やゴミの収納以外にも使われる。クロス職人や床職人の場合、カッターナイフの消耗が激しく、１回の作業で何回も刃先を折り取ることが有る。そのため、ペンチや刃を折る工具などを使わずにスムーズに刃先を折り取ることが求められる。屋外の作業場あれば、道路にカッターナイフの刃を斜めに押し当てて折ることもできるが、屋内ではクロスや床を傷つけてしまうので、そのような折り方はできない。
【０００７】
そこでクロス職人や床職人は腰袋の内側にカッターナイフの刃を押しつけて、刃先を折り取るような使い方をする人が多い。その場合は、カッターの刃の横方向に力が加わるように腰袋の内側底部に押しつける。この場合、折れた刃先は腰袋の内側に残る。多くの腰袋は布製であるため、何回もカッターの刃を押しつけていると、押しつけられた刃によって、傷つくことがある。そのため、底部に硬質の合成樹脂，堅い厚紙等よりなる底板を配して、布が傷みにくいようにしている腰袋もある。
【０００８】
このような腰袋の使い方は便利ではあるが、折り取った刃が跳ね返って作業者の手や顔に当たり、作業者がケガをすることがある。又、周囲にいる人を傷つけることもある。
【特許文献１】特開２０００−１５７３１９号公報
【発明の開示】
【発明が解決しようとする課題】
【０００９】
そこで本発明は、作業者が動いても収納した釘やビスなどが飛び出すことが無く、折り取ったカッターナイフの刃が作業者や周囲の人を傷つけることが無く、しかも袋内の掃除が容易な腰袋を提供することを課題とする。
【課題を解決するための手段】
【００１０】
請求項１記載の腰袋は、腰袋本体(1)の内側に着脱可能な磁着体(2)を備えており、該磁着体(2)はケース(4)の内部に板状の磁石(3)が着脱可能に収納されたものであり、該磁石(3)は片面のみ磁着可能であることを特徴とする。
【００１１】
これによれば、腰袋本体(1)に入っている釘，ビス，折り取られたカッターナイフの刃先等は、腰袋本体(1)内の磁着体(2)に磁着する。そのため、作業者が飛び跳ねるような動きをしても釘，ビス，折り取られたカッターナイフの刃先等が腰袋本体(1)から飛び出すことがない。
【００１２】
又、折り取られたカッターナイフの刃先は磁着体(2)に密着するため、腰袋本体(1)内で鋭利な刃先が立ち上がらず、作業者が腰袋本体(1)内に手を差し入れてもケガをする危険性が少なくなる。腰袋本体(1)内にカッターナイフの先端を押し当てて刃先(11)を折り取る場合でも、折れた刃先(11)は磁着体(2)に引き寄せられて磁着するので、飛び跳ねて作業者や周囲の人にケガを負わせる危険性が少なくなる。
【００１３】
更に、清掃の際には磁着体(2)を取り出すだけで、腰袋本体(1)内の釘，ビス，折り取られたカッターナイフの刃先等の鉄類を取り出すことができる。そして、磁着体(2)から磁石(3)を抜き取れば、磁着体(2)のケース(4)に付いていた釘，ビス，折り取られたカッターナイフの刃先等を容易に取り除くことができる。
【００１４】
磁石(3)は片面のみ磁力が働くので、腰袋本体(1)外部に磁力による影響を与えにくい。そのため、周囲の電気機器に悪影響を与えにくく、腰袋外部に不要なものが磁着することも防止することができる。
【００１５】
請求項２記載の腰袋は、腰袋本体(1)の内側に着脱可能な内袋(21)を備えており、該内袋(21)は板状の磁石(3)を着脱可能に収納できるポケット部(22)を有し、該ポケット部(22)に磁石(3)を出し入れするための開口(22a)は該内袋(21)の外側に設けられており、該磁石(3)は片面のみ磁着可能であることを特徴とする。
【００１６】
内袋(21)のポケット部(22)に磁石(3)が入っているので、上記の請求項１と同様の効果が得られる。清掃の際には腰袋本体(1)から内袋(21)を取り出すだけで、腰袋本体(1)の清掃ができる。内袋(21)の清掃は、その開口を下に向けることにより鉄類以外のゴミを落下させることができる。次いで、ポケット部(22)に収納されている磁石(3)をポケット開口部(22a)から取り去れば、釘，ビス，折り取られたカッターナイフの刃先等の鉄類を内袋(21)外に落下させることができる。
【００１７】
請求項３記載の腰袋は請求項１又は請求項２記載の腰袋において、腰袋本体(1)の外部には第二の磁石(7)が着脱可能に装着されており、該第二の磁石(7)は片面のみ磁着可能であることを特徴とする。
【００１８】
これによれば、腰袋本体(1)の外部に配した第二の磁石(7)に、少数の釘やビスなどを一時的に保持させることができる。例えば、腰袋本体(1)から釘(10)を１０本程度取り出して、第二の磁石(7)に止めておけば、その後は腰袋本体(1)に手を差し入れることなく、続けて第二の磁石(7)に止められた釘(10)を使って釘打ち作業をすることができる。
【発明の効果】
【００１９】
本発明の腰袋を用いれば、動いても収納した釘やビスなどが飛び出すことが無い。したがって、釘やビスなどを口に含んで作業する必要もない。又、折り取ったカッターナイフの刃先が飛び散ることや、腰袋の中で作業者の手を傷つける危険性が減るので安全である。しかも腰袋の掃除が容易となり、鉄類とそれ以外のゴミとの分別もできる。
【発明を実施するための最良の形態】
【００２０】
以下、本発明を好適な実施例を用いて説明する。
【実施例１】
【００２１】
図１は本実施例に用いる腰袋の本体を示した図である。図中において、(8)は腰袋を装着する際に、作業者のベルトを通すためのベルトループである。(5)は外周部に設けられたポケットやループであり、ここに小さな部品を収納し、又はドライバーやペンチなどの工具を差し入れて保持することができる。
【００２２】
図２は腰袋本体(1)の底部に磁着体(2)を配する様子を示した図である。磁着体(2)は腰袋本体(1)の底部に底板のように配される。これにより磁着体(2)自体を底板として利用することができる。磁着体(2)は着脱可能であるので必要に応じて腰袋本体(1)から取り出すことができる。
【００２３】
図３は磁着体(2)の構造を示した図である。磁着体(2)はケース(4)と、該ケース(4)内に着脱可能に収納される磁石(3)を備えている。図において(4a)は磁石(3)をケースに出し入れするためのケース開口部である。
【００２４】
ケース(4)は硬質の合成樹脂製であり、ケース開口部(2a)からスライドさせるようにして板状の磁石(3)を出し入れすることができる。カッターナイフの刃を折り取る作業が多い場合は、ケース(4)の材質として、カッティングマットと同様の素材を用いても良い。磁石(3)としてはキャップ磁石のように片面のみ鉄やニッケルなどを磁着（磁力による吸着）するものを用いた。
【００２５】
ケース(4)は磁気を通すので、ケース内に磁石(4)を収納した状態では、ケース(4)の一方の面は透過した磁力により鉄製の釘やカッターの刃先などを磁着することができる。一方、反対側の面は、磁石が片面しか磁着しないタイプのものであるので釘，ビスなどの鉄類を磁着することはできない。
【００２６】
片面のみ磁着するような磁石を用いているので、作業場の近くに磁気が近づくと正常に作動しなくなるＴＶなどの電気機器がある場合でもそれらの電気機器に悪影響を与えにくい。又、鉄製の階段や鉄骨上で作業をするような際に、腰袋が階段や鉄骨に吸い付いてしまうようなことがなく安全である。更に、腰袋本体(1)の外部に砂鉄，鉄製のゴミ，鉄製の部品などが付いてしまうことがない。
【００２７】
尚、本実施例では磁着体(2)は腰袋本体(1)の底部に置くように配したが、必要なら底部ではなく内側面に配するようにしても良い。その場合は、磁着体(2)が倒れないように面ファスナーやベルトなどを用いて一時的に固定するようにすればよい。
【００２８】
使用に際しては、腰袋本体(1)の底部に、磁着可能な面が上になるように磁着体(2)を配する。これにより、腰袋内の釘やビスなどは磁着体(2)に吸い付けられ保持されるので、作業者が走ったり、飛び降りたりしても腰袋本体(1)から飛び出してしまうことがない。
【００２９】
カッターナイフの刃を折り取る場合は、腰袋本体(1)内の磁着体(2)に押し当てて折り取るとよい。折れた刃先は磁着体(2)に吸い付けられるので、跳ね返って作業者の手や顔などを傷つけることがない。又、折られた刃先は磁着体(2)に密着し、刃が立ち上がった状態にはなりにくい。そのため、作業者が腰袋本体(1)内に手を差し入れた際に、立ち上がった刃先に接触してケガをする危険はほとんど無い。
【００３０】
使用後は腰袋本体(1)内に余ったネジや釘、又は折り取られたカッターナイフの刃先が残ることになる。掃除する際には、腰袋本体(1)から磁着体(2)を取り出す。ネジ，釘，刃先は鉄製であるので磁着体(2)に付いたまま取り出される。これにより、腰袋本体(1)内からネジ，釘，刃先などを簡単に取り除いて清掃することができる。
【００３１】
次に、磁着体(2)に付いているネジ，釘，刃先などを取り除く。その際にはゴミ箱等の上で、図４に示すようにネジ，釘，刃先(11)などが付いた面を下にして、ケース開口部(4a)からケースの収納部(4b)に収納されていた磁石(3)を引き抜く。ケース(4)自体には吸着しておく力はないため、磁石(3)がなくなると、ネジ，釘，刃先(11)などは引力により落下する。これにより、磁着体(2)に付いていたネジ，釘，刃先などを極めて簡単に捨てることができる。
【００３２】
ケース(4)の材質や表面状態によっては、ケース(4)から磁石(3)を引き抜く際に、ネジ，釘，刃先(11)などが磁石と共に移動してしまい、抜き取った磁石(3)に付いてしまうような場合も考えられる。その場合は、図５に示すようにケース(4)の開口部(4a)付近に、縁部(4c)を設けると良い。そうすれば、仮にネジ，釘，刃先(11)などが磁石(3)の移動に伴ってケース(4)上を移動したとしても、この縁部(4c)に引っかかりそれ以上移動できないので、磁石(3)に付いてしまうことを防止することができる。
【００３３】
作業者が普通の腰袋として使用したい場合には、磁着体(2)全体、又は磁着体(2)に収納された磁石(3)を裏返して使用することにより通常の腰袋と同様に使うことができる。例えば、太い針金を腰袋の内側に押し当てて曲げ加工をするような場合、針金が磁石によって吸い付けられると作業がし難いので、そのような場合は磁石(3)を裏返して使用すればよい。
【００３４】
尚、必須構成ではないが、少量のネジや釘(10)を一時的に保持させる場合は、腰袋本体(1)の外側に磁石(7)を取り付けておき、その磁石(7)に一時的に付けておくようにしても良い。（以下、この第二の磁石を「外部用磁石」と呼ぶ。）本実施例では腰袋本体の外周部に磁石保持部(6)を設け、バンド(6a)と共に外部用磁石(7)を腰袋本体(1)の外周部に保持できるようにした。外部用磁石(7)は片面が露出した状態で保持される。
【００３５】
このようにすれば、ビスや釘(10)などを使うたびに腰袋の内側に手を差し入れなくても、外部に露出した外部用磁石(7)に保持されているビスや釘(10)を使うことができ、作業効率が向上する。
【００３６】
この外部用磁石(7)は磁石保持部(6)から着脱可能とした。又、磁着体(2)の磁石(3)と同様に、片面のみ吸着できるタイプの磁石を用いた。外部用磁石(7)を裏返しておけば、磁気の周囲への影響を少なくすることができると共に、不使用時に不要な物が吸い付いてしまうことを防止できる。
【実施例２】
【００３７】
本実施例では腰袋本体(1)の内側に装着できる内袋(21)を用い、その内袋(2)に磁石(3)を配した。図６は本実施例の構成を示した図である。
【００３８】
内袋(21)は腰袋本体(1)の内側に嵌め入れるように装着する。必要なら面ファスナーやボタン，ファスナーなどで腰袋本体(1)の内側に固定しても良い。
【００３９】
内袋(21)は内袋ポケット(22)を有しており、その収納部(22b)には磁石(3)を収納することができる。本実施例では内袋(21)の底部に内袋ポケット(22)を設けたが、用途や作業者の好みによっては側面に設けるようにしても良い。
【００４０】
磁石(3)は実施例１で用いたのと同様、片面のみが磁着可能となっている板状の磁石を用いた。磁石(3)は内袋ポケット(22)に着脱可能であり、外部に連通するポケット開口部(22a)を通して内袋ポケット(22)に出し入れすることができる。
【００４１】
本実施例では内袋(22)は巾着袋状となっており、摘み部(23)を摘んで引っ張ることにより、その開口部を絞りこんで開口面積を小さくすることができるようにした。これにより、磁石に付かない工具や小さな部品などが、内袋(21)から飛び出ることを防止することができる。又、内袋(21)の開口部を少し絞り込めば、万一カッターの刃先(11)が跳ねたような場合でも、内袋(21)外部に飛び散ることを防止できるので安全である。
【００４２】
使用方法や効果は実施例１と同様であり、内袋(21)に入ったネジ，釘，カッターの刃先(11)などは内袋ポケット(22)内の磁石に吸い付けられる。磁石(3)を裏返して使用できる点も実施例１と同様である。
【００４３】
清掃の際には腰袋本体(1)から内袋(21)を外し、ゴミ箱などの上で内袋(21)の開口部を下に向ける。すると鉄類以外のゴミが落下する。そして図７に示すようにポケット開口部(22a)から磁石(3)を抜き取る。すると、それまで磁石(3)に吸い付けられていたネジ，釘，カッターの刃先(11)などが落下する。このように鉄類とそれ以外のゴミを容易に分別することができる。
【産業上の利用可能性】
【００４４】
本発明は、種々の大きさや形状の腰袋に適用できる。したがって、本発明の腰袋は広い用途で使用することが可能である。又、清掃については捨てることについて説明したが、捨てずに保管することもできる。例えば、腰袋に入っているゴミの中から釘を選別して取り出して保管し、別の機会に使用するようなこともできる。
【図面の簡単な説明】
【００４５】
【図１】実施例１の腰袋本体を示した図。
【図２】腰袋本体への磁着体の装着を説明する図。
【図３】磁着体の構造を示した図。
【図４】実施例１の清掃の様子を示した図。
【図５】他の形状の磁着体を説明する図。
【図６】実施例２の構造を示した図。
【図７】実施例２の清掃の様子を示した図。
【符号の説明】
【００４６】
１    腰袋本体
２    磁着体
３    磁石
４    ケース
４ａ  開口部
４ｂ  収納部
４ｃ  縁部
５    ポケット又はループ
６    磁石保持部
６ａ  磁石止めバンド
７    外部用磁石（第二の磁石）
８    ベルトループ
１０    釘やビス
１１    折り取られたカッターナイフの刃先
２１    内袋
２２    内袋ポケット
２２ａ  ポケット開口部
２２ｂ  収納部
２３  摘み部
【図１】
2007130740.tif 000003
【図２】
2007130740.tif 000004
【図３】
2007130740.tif 000005
【図４】
2007130740.tif 000006
【図５】
2007130740.tif 000007
【図６】
2007130740.tif 000008
【図７】
2007130740.tif 000009